【手続補正書】
【提出日】平成17年9月22日(2005.9.22)
【手続補正１】
【補正対象書類名】明細書
【補正対象項目名】全文
【補正方法】変更
【補正の内容】
【書類名】      明細書
【発明の名称】  光記録媒体用中間体、成形金型、成形機、および光記録媒体の製造方法
【特許請求の範囲】
【請求項１】  中心部に装着用中心孔が形成されると共に一面に１種類以上の機能層が形成されて情報の記録および再生の少なくとも一方を実行可能な光記録媒体を製造するために先立って製造される光記録媒体用中間体であって、
前記装着用中心孔と等しい径に形成された円形凹部が他面の中心部に形成されると共に当該円形凹部よりも小径の仮中心孔が当該円形凹部の中心部に形成され、
その外径が前記装着用中心孔よりも小径であってその内径が前記仮中心孔の孔径以上でかつその中心軸が当該仮中心孔の中心とほぼ一致する円筒状リングが前記一面に突設されている光記録媒体用中間体。
【請求項２】  前記円形凹部を構成する内底面における当該円形凹部を構成する内周面近傍に当該内周面に沿って凹溝が形成されている請求項１記載の光記録媒体用中間体。
【請求項３】  前記仮中心孔は、その内径が直径２ｍｍ以上に形成されている請求項１または２記載の光記録媒体用中間体。
【請求項４】  前記円筒状リングは、前記外径が直径１０ｍｍ以下に形成されている請求項１から３のいずれかに記載の光記録媒体用中間体。
【請求項５】  前記円筒状リングは、前記一面からの突出長が０．５ｍｍ以上に形成されている請求項１から４のいずれかに記載の光記録媒体用中間体。
【請求項６】  前記円筒状リングは、前記内径が前記仮中心孔の前記孔径と等しく形成されている請求項１から５のいずれかに記載の光記録媒体用中間体。
【請求項７】  第１の金型と第２の金型とを備え、当該両金型同士が型閉された状態において当該両金型間に形成されるキャビティ内に溶融した樹脂が射出されることによって光記録媒体用中間体を成形する成形金型であって、
前記第１の金型は、スプルーブッシュを備え、当該スプルーブッシュは、前記第２の金型に対向する対向面に開口して前記溶融した樹脂を射出可能に形成されると共に少なくとも１段拡径した拡径部が当該対向面に開口する貫通孔が中心部に形成されて構成され、
前記第２の金型は、その外径が前記拡径部の内径よりも小径に形成された円筒体を前記第１の金型に対向する対向面の中央部に突出して形成したゲートカッターを備え、
前記型閉された状態で前記ゲートカッターを前記スプルーブッシュ側に移動したときに、当該ゲートカッターの前記対向面が前記キャビティ内に突出すると共に前記拡径部内に前記円筒体が進入して、当該ゲートカッターの前記対向面と当該スプルーブッシュの前記対向面との距離を前記光記録媒体用中間体の厚みよりも短く維持しつつ、前記拡径部の内周面と前記円筒体の外周面との間で前記キャビティの一部としての円筒状空隙を形成可能に構成されている成形金型。
【請求項８】  前記ゲートカッターにおける前記対向面の外周縁部に凹溝形成用の突起が形成されている請求項７記載の成形金型。
【請求項９】  第１の金型と第２の金型とを備え、当該両金型同士が型閉された状態において当該両金型間に形成されるキャビティ内に溶融した樹脂が射出されることによって光記録媒体用中間体を成形する成形金型であって、
前記第１の金型は、スプルーブッシュを備え、当該スプルーブッシュは、前記第２の金型に対向する対向面に開口して前記溶融した樹脂を射出可能に形成されると共に少なくとも１段拡径した拡径部が当該対向面に開口する貫通孔が中心部に形成されて構成され、
前記第２の金型は、円筒状の成形スリーブ、および当該成形スリーブ内にスライド自在に装着された円筒状のゲートカッターを備え、
前記型閉された状態で前記成形スリーブおよび前記ゲートカッターを前記スプルーブッシュ側に移動したときに、当該成形スリーブにおける前記スプルーブッシュに対向する対向面が前記キャビティ内に突出すると共に前記拡径部内に当該ゲートカッターが進入して、当該成形スリーブの前記対向面と当該スプルーブッシュの前記対向面との距離を前記光記録媒体用中間体の厚みよりも短く維持しつつ、前記拡径部の内周面と前記ゲートカッターの外周面との間で前記キャビティの一部としての円筒状空隙を形成可能に構成されている成形金型。
【請求項１０】  前記成形スリーブにおける前記対向面の外周縁部に凹溝形成用の突起が形成されている請求項９記載の成形金型。
【請求項１１】  請求項７または８記載の成形金型と、前記ゲートカッターを前記スプルーブッシュに向けて付勢する付勢手段とを備え、
前記ゲートカッターは、前記樹脂の射出開始後における樹脂圧が高いときには、当該樹脂圧によって前記付勢手段の付勢力に抗して前記第２の金型側に移動して前記キャビティへの当該樹脂の充填を許容し、当該樹脂の充填が完了して当該樹脂圧が低下したときには、当該付勢手段の付勢力によって当該スプルーブッシュに向けて移動する成形機。
【請求項１２】  中心部に装着用中心孔が形成されると共に一面に１種類以上の機能層が形成されて情報の記録および再生の少なくとも一方を実行可能な光記録媒体を製造する製造方法であって、
請求項１から６のいずれかに記載の光記録媒体用中間体を樹脂成形によって作製する中間体作製工程と、
作製した前記光記録媒体用中間体の前記一面に前記機能層を形成する機能層形成工程と、
前記１種類以上の機能層が形成された前記光記録媒体用中間体に前記装着用中心孔を形成する中心孔形成工程とを少なくとも含む光記録媒体の製造方法。
【発明の詳細な説明】
【０００１】
【発明の属する技術分野】
本発明は、中心部に装着用中心孔が形成されると共に一面に１種類以上の機能層が形成されて情報の記録および再生の少なくとも一方を実行可能な光記録媒体を製造するための光記録媒体用中間体、その光記録媒体用中間体を製造するための成形金型、その成形金型を備えた成形機、並びにその光記録媒体用中間体を利用した光記録媒体の製造方法に関するものである。
【０００２】
【従来の技術】
例えば、ＣＤ（Compact Disc）やＤＶＤ（Digital Versatile Disc）などの光記録媒体の製造方法としては、まず、スタンパーをセットした金型内に樹脂を射出することにより、図２０に示す形状のディスク状基板ＤＰを作製する。この際に、金型内に組み込まれたゲートカッターによって中心部分が打ち抜かれることにより、装着用中心孔（光記録媒体の装着用中心孔でもある）ＭＨが、ディスク状基板ＤＰの中心部に形成される。また、グルーブ等の微細凹凸（図示せず）が、ディスク状基板ＤＰの一面（同図中の上面）における後述する各機能層の形成領域（記録エリアＲＡ）内に形成される。また、リング状突起（いわゆるストックリング）ＳＲが、ディスク状基板ＤＰの他面（同図中の下面）に形成される。このリング状突起ＳＲは、ディスク状基板ＤＰの内周側において装着用中心孔ＭＨに隣接して位置するチャッキングエリアＣＡと、記録エリアＲＡとの間の領域内に形成される。また、作製されたディスク状基板ＤＰは、図２２に示すように、その装着用中心孔ＭＨにスタッカー５１のスタックポール５１ａを挿入することによってスタッカー５１に積層された状態でストックされる。この場合、各ディスク状基板ＤＰは、各リング状突起ＳＲによって相互間に隙間が生じた状態で積層される。したがって、この状態において振動が加わったとしても、各ディスク状基板ＤＰの大きな傾きが防止されるため、互いの干渉が回避される結果、表面の損傷等の不具合が防止される。
【０００３】
次いで、スタッカー５１からディスク状基板ＤＰを順次取り出して、ディスク状基板ＤＰの一面における記録エリアＲＡ内に、各種の機能層（反射層、記録層、保護層等）を順次形成することによって光記録媒体（図示せず）が完成する。次いで、完成した光記録媒体は、ディスク状基板ＤＰと同様にして、スタッカー５１を使用してストックされる。この場合、上記した各種機能層の一部（例えば、保護層）は、スピンコート法によって樹脂を塗布すると共に塗布した樹脂を所定の硬化処理によって硬化させて形成する。その際に、機能層（樹脂層）の層厚を特に半径方向にほぼ均一に制御することが容易なことから、図２０に示すように、樹脂塗布用補助部材としての円盤状部材ＤＩを使用して樹脂Ｒを塗布する方法も採用されている（特開平１０−２４９２６４号公報参照）。この方法では、基本的には、同図に示すように、装着用中心孔ＭＨを覆うようにして円盤状部材ＤＩをディスク状基板ＤＰ上に載置して、この円盤状部材ＤＩの上にノズルＮＺから樹脂Ｒを滴下して回転塗布する。次いで、図２１に示すように、円盤状部材ＤＩを取り外して、表面の外縁にまで樹脂Ｒが達したディスク状基板ＤＰを硬化処理の実施場所まで搬送する。搬送に際しては、樹脂Ｒが未硬化のため、円盤状部材ＤＩによって覆われていた樹脂未塗布領域（装着用中心孔ＭＨの隣接領域）を吸着装置（図示せず）によって吸着して搬送する方法、および機械式チャック装置（図示せず）によって装着用中心孔ＭＨを利用して搬送する方法のいずれかが通常採用されている。
【０００４】
しかしながら、上記した光記録媒体の製造方法では、使用する円盤状部材ＤＩの管理（樹脂Ｒが付着した円盤状部材ＤＩのクリーニング等）が煩雑なため、本発明者は、中心部に装着用中心孔ＭＨが形成されていない光記録媒体用の中間体を使用して光記録媒体を製造する方法を開発した。この光記録媒体の製造方法では、まず、ディスク状基板ＤＰの製造方法と同様の方法によって、図２３に示すディスク状基板用の中間体ＭＥを作製する。この際に、中間体ＭＥには、装着用中心孔ＭＨは形成されないが、ディスク状基板ＤＰと同様にして、グルーブ等の微細凹凸（図示せず）が一面（同図中の上面）に形成されて、かつリング状突起ＳＲが他面（同図中の下面）に形成される。次いで、中間体ＭＥの一面における記録エリアＲＡ内に、各種機能層（反射層、記録層、保護層等）を順次形成する。この機能層の形成に際して、樹脂Ｒをスピンコート法によって塗布するときには、同図に示すように、中間体ＭＥの中心部にノズルＮＺから樹脂Ｒを滴下して回転塗布する。これにより、樹脂Ｒは、図２４に示すように、半径方向に沿った膜厚がほぼ均一に塗布される。次いで、一面上にすべての機能層（以下、全機能層をまとめて「層ＦＬ」ともいう）が形成された中間体ＭＥの中心部をプレス加工（打ち抜き具を用いた打ち抜き加工）によって打ち抜いて装着用中心孔ＭＨを形成する。これにより、図９に示すように、中心部に装着用中心孔ＭＨが形成された光記録媒体１が完成する。この光記録媒体の製造方法によれば、スピンコート法を実施する際に円盤状部材ＤＩを使用しないため、円盤状部材ＤＩについての煩雑な管理を不要にすることができる。
【０００５】
【特許文献１】
特開平１０−２４９２６４号公報（第５−８頁、図２）
【０００６】
【発明が解決しようとする課題】
ところが、この光記録媒体の製造方法には、以下の改善すべき点が存在する。すなわち、この製造方法では、装着用中心孔ＭＨが形成されていない中間体ＭＥを作製し、この中間体ＭＥ上に層ＦＬを形成した後にプレス加工で装着用中心孔ＭＨを形成している。したがって、スピンコート法によって機能層を形成する場合、未硬化の樹脂Ｒが全体に亘って塗布された中間体ＭＥを硬化処理の実施場所まで搬送するときに、中心部に装着用中心孔ＭＨが形成されていないために上記したような機械式チャック装置を使用するのが困難で、また樹脂Ｒの未塗布領域が存在しないために上記した吸着搬送装置を使用するのも困難である。このため、この点を改善できるのが好ましい。一方、例えば、樹脂Ｒを部分的に硬化させる装置を別途用意して中間体ＭＥの中央部の樹脂Ｒを硬化させ、この樹脂Ｒが硬化した部分を吸着搬送装置で吸着させる方法も考えられるが、樹脂Ｒを部分的に硬化させる装置が必要となり新たな設備投資費用が発生するという問題が生じる。さらに、樹脂Ｒを部分的に硬化させる工程が新たに増えるため、その分の製造時間を要する結果、単位時間当たりの光記録媒体１の生産量が低下して製造コストが高騰する。
【０００７】
また、この光記録媒体の製造方法では、最後のプレス加工を終了するまで装着用中心孔ＭＨが形成されないため、作製した中間体ＭＥをストックする際や、１つの処理工程を終えた中間体ＭＥを次の処理工程が開始するまでストックしておく際に、従来から使用しているスタッカー５１を使用するのが困難となる。この場合、この中間体ＭＥをストックする他の方法として、図２５に示すように、複数（一例として３本）のスタックポール６１ａを同一円周上に立設したスタッカー６１を使用して、中間体ＭＥを積層してストックする方法が考えられる。この場合、各スタックポール６１ａ，６１ａ，６１ａ間に収納された中間体ＭＥは、各スタックポール６１ａ，６１ａ，６１ａによってその外周縁が支持される。また、図示しないが、中間体ＭＥの外周縁を挿入可能な溝が間隔を空けて複数並設された収納ケースを使用して、各中間体ＭＥを縦置き状態で横方向に並列させてストックする方法も考えられる。しかしながら、前者のストック方法には、各スタックポール６１ａ，６１ａ，６１ａによって中間体ＭＥの外周縁を支持しているだけのため、中間体ＭＥを複数積層した状態で振動等が加わった際に、図２６に示すように中間体ＭＥが崩れ易いという解決すべき点がある。また、後者のストック方法には、中間体ＭＥのストック数に応じて横方向の占有面積が増加するため、スタッカー５１，６１を使用したストック方法と比較して、中間体ＭＥのストック数が多いときには占有スペースの確保が大変となるという解決すべき点がある。
【０００８】
さらに、この光記録媒体の製造方法では、中間体ＭＥにおけるプレス加工によって打ち抜かれて装着用中心孔ＭＨとなる部位、およびその部位を取り囲む部位の各板厚が等しいため、打ち抜き具による打ち抜きの際に、装着用中心孔ＭＨを構成する中間体ＭＥおよび層ＦＬの内周面にバリが生じるおそれがある。このため、光記録媒体１をドライブ装置に装着した際に、このバリによって光記録媒体１が偏心した状態で装着される可能性があり、その際には、回転時に光記録媒体１が振動して情報の正確な記録や再生が困難となることがあるため、この点を改善するのが好ましい。
【０００９】
本発明は、かかる改善すべき点に鑑みてなされたものであり、樹脂塗布用補助部材を使用することなくスピンコート法によって樹脂を均一に塗布できると共に省スペース化を図りつつ安定した状態でストックでき、しかも塗布した樹脂が未硬化の状態であったとしても既存の搬送機構で搬送でき、さらにバリのない状態で装着用中心孔を形成し得る光記録媒体用中間体を提供することを主目的とする。また、このような光記録媒体用中間体を製造するための成形金型および成形機を提供することを他の目的とする。さらに、樹脂塗布用補助部材を使用することなくスピンコート法によって樹脂を均一に塗布でき、しかも塗布した樹脂が未硬化の状態であったとしても既存の搬送機構で光記録媒体用中間体を搬送でき、さらにバリのない状態で装着用中心孔を形成し得る光記録媒体の製造方法を提供することを他の目的とする。
【００１０】
【課題を解決するための手段】
上記目的を達成すべく本発明に係る光記録媒体用中間体は、中心部に装着用中心孔が形成されると共に一面に１種類以上の機能層が形成されて情報の記録および再生の少なくとも一方を実行可能な光記録媒体を製造するために先立って製造される光記録媒体用中間体であって、前記装着用中心孔と等しい径に形成された円形凹部が他面の中心部に形成されると共に当該円形凹部よりも小径の仮中心孔が当該円形凹部の中心部に形成され、その外径が前記装着用中心孔よりも小径であってその内径が前記仮中心孔の孔径以上でかつその中心軸が当該仮中心孔の中心とほぼ一致する円筒状リングが前記一面に突設されている。
【００１１】
この場合、前記円形凹部を構成する内底面における当該円形凹部を構成する内周面近傍に当該内周面に沿って凹溝を形成するのが好ましい。
【００１２】
また、前記仮中心孔の内径を直径２ｍｍ以上に形成するのが好ましい。
【００１３】
また、前記円筒状リングの外径を直径１０ｍｍ以下に形成するのが好ましい。
【００１４】
さらに、前記円筒状リングの前記一面からの突出長を０．５ｍｍ以上に形成するのが好ましい。
【００１５】
また、前記円筒状リングの内径を前記仮中心孔の前記孔径と等しく形成するのが好ましい。
【００１６】
また、上記目的を達成すべく本発明に係る成形金型は、第１の金型と第２の金型とを備え、当該両金型同士が型閉された状態において当該両金型間に形成されるキャビティ内に溶融した樹脂が射出されることによって光記録媒体用中間体を成形する成形金型であって、前記第１の金型は、スプルーブッシュを備え、当該スプルーブッシュは、前記第２の金型に対向する対向面に開口して前記溶融した樹脂を射出可能に形成されると共に少なくとも１段拡径した拡径部が当該対向面に開口する貫通孔が中心部に形成されて構成され、前記第２の金型は、その外径が前記拡径部の内径よりも小径に形成された円筒体を前記第１の金型に対向する対向面の中央部に突出して形成したゲートカッターを備え、前記型閉された状態で前記ゲートカッターを前記スプルーブッシュ側に移動したときに、当該ゲートカッターの前記対向面が前記キャビティ内に突出すると共に前記拡径部内に前記円筒体が進入して、当該ゲートカッターの前記対向面と当該スプルーブッシュの前記対向面との距離を前記光記録媒体用中間体の厚みよりも短く維持しつつ、前記拡径部の内周面と前記円筒体の外周面との間で前記キャビティの一部としての円筒状空隙を形成可能に構成されている。
【００１７】
この場合、前記ゲートカッターにおける前記対向面の外周縁部に凹溝形成用の突起を形成するのが好ましい。
【００１８】
また、上記目的を達成すべく本発明に係る成形金型は、第１の金型と第２の金型とを備え、当該両金型同士が型閉された状態において当該両金型間に形成されるキャビティ内に溶融した樹脂が射出されることによって光記録媒体用中間体を成形する成形金型であって、前記第１の金型は、スプルーブッシュを備え、当該スプルーブッシュは、前記第２の金型に対向する対向面に開口して前記溶融した樹脂を射出可能に形成されると共に少なくとも１段拡径した拡径部が当該対向面に開口する貫通孔が中心部に形成されて構成され、前記第２の金型は、円筒状の成形スリーブ、および当該成形スリーブ内にスライド自在に装着された円筒状のゲートカッターを備え、前記型閉された状態で前記成形スリーブおよび前記ゲートカッターを前記スプルーブッシュ側に移動したときに、当該成形スリーブにおける前記スプルーブッシュに対向する対向面が前記キャビティ内に突出すると共に前記拡径部内に当該ゲートカッターが進入して、当該成形スリーブの前記対向面と当該スプルーブッシュの前記対向面との距離を前記光記録媒体用中間体の厚みよりも短く維持しつつ、前記拡径部の内周面と前記ゲートカッターの外周面との間で前記キャビティの一部としての円筒状空隙を形成可能に構成されている。
【００１９】
この場合、前記成形スリーブにおける前記対向面の外周縁部に凹溝形成用の突起を形成するのが好ましい。
【００２０】
また、上記目的を達成すべく本発明に係る成形機は、上記の成形金型と、前記ゲートカッターを前記スプルーブッシュに向けて付勢する付勢手段とを備え、前記ゲートカッターは、前記樹脂の射出開始後における樹脂圧が高いときには、当該樹脂圧によって前記付勢手段の付勢力に抗して前記第２の金型側に移動して前記キャビティへの当該樹脂の充填を許容し、当該樹脂の充填が完了して当該樹脂圧が低下したときには、当該付勢手段の付勢力によって当該スプルーブッシュに向けて移動する。なお、上記の成形金型に上記の付勢手段を配設して成形金型を構成することもできる。
【００２１】
さらに、上記目的を達成すべく本発明に係る光記録媒体の製造方法は、中心部に装着用中心孔が形成されると共に一面に１種類以上の機能層が形成されて情報の記録および再生の少なくとも一方を実行可能な光記録媒体を製造する製造方法であって、上記の光記録媒体用中間体を樹脂成形によって作製する中間体作製工程と、作製した前記光記録媒体用中間体の前記一面に前記機能層を形成する機能層形成工程と、前記１種類以上の機能層が形成された前記光記録媒体用中間体に前記装着用中心孔を形成する中心孔形成工程とを少なくとも含む。
【００２２】
【発明の実施の形態】
以下、添付図面を参照して、本発明に係る光記録媒体用中間体、成形金型、成形機、および光記録媒体の製造方法の好適な実施の形態について説明する。なお、上記した光記録媒体１および中間体ＭＥと同一構造の構成要素については、同一の符号を付して重複した説明を省略する。
【００２３】
最初に、本発明に係る光記録媒体の製造方法によって製造される光記録媒体１の構成について、図９を参照して説明する。
【００２４】
光記録媒体１は、ディスク状基板ＤＰの一面（同図中の上面：機能層の形成面）上に層ＦＬを形成して構成されている。この場合、ディスク状基板ＤＰは、例えば、熱可逆性樹脂（一例としてポリカーボネイト）で厚み１．１ｍｍ程度、直径１２０ｍｍ程度の円板形状に形成されている。また、ディスク状基板ＤＰの中心部には、直径１５ｍｍ程度の装着用中心孔ＭＨが形成され、ディスク状基板ＤＰの一面における記録エリアＲＡ内には、グルーブ等の微細凹凸が形成されている。また、ディスク状基板ＤＰの他面（同図中の下面：機能層の形成面に対する裏面）には、直径３５ｍｍ程度のリング状突起ＳＲが形成されている。一方、層ＦＬは、例えば、ディスク状基板ＤＰ側から順次積層された反射層、記録層、および保護層（カバー層）等の各種の機能層で構成され、全体として厚み０．１ｍｍ程度に形成されている。この場合、少なくともスピンコート法によって形成される機能層としては、ディスク状基板ＤＰの一面全体に亘って樹脂（光透過性樹脂）によって形成される保護層が該当する。一方、スパッタリング法によって形成される機能層は、記録エリアＲＡ内に形成され、Ａｇ，Ａｕ，Ａｌ等によって形成されている反射層がこれに該当する。また、記録層が相変化材料によって形成される場合には、記録層もこの機能層に該当する。
【００２５】
次いで、光記録媒体１の製造に使用する光記録媒体用中間体を作製するための成形金型ＦＤについて説明する。
【００２６】
最初に、成形金型ＦＤの構成について、図１を参照して説明する。
【００２７】
同図に示すように、成形金型ＦＤは、固定側金型（第１の金型）１１と、固定側金型１１に対して接離動する可動側金型（第２の金型）２１とを備えている。この成形金型ＦＤでは、両金型１１，２１同士が型閉された状態において、この両金型１１，２１間に形成されるキャビティＣＶ内に、図２に示す射出成形機（成形機）ＭＭの射出ノズルＮＺ１から溶融した樹脂ＲＥが射出されることにより、図４に示すように仮中心孔ＴＨおよび円筒状リングＲＩが形成された中間体ＭＥ１を成形する。以下、各構成について具体的に説明する。
【００２８】
固定側金型１１は、図１に示すように、固定側取付板１２、固定側ミラー１３、スプルーブッシュ１４、スタンパー１５および内周スタンパー押さえ１６を備えている。この場合、固定側取付板１２は、一例として円板状に形成されると共に、その中央部には、断面円形の孔１２ａが表裏を貫通するようにして形成されている。固定側ミラー１３は、円板状に形成されて固定側取付板１２に装着されると共に、その中央部に孔１２ａと連通する断面円形の孔１３ａが表裏を貫通するようにして形成されている。スプルーブッシュ１４は、可動側金型２１に対向する対向面１４ａに開口して溶融した樹脂を射出する貫通孔１４ｂが中心部に形成されている。また、この貫通孔１４ｂは、対向面１４ａ近傍において一例として２段に拡径した状態で対向面１４ａに開口している。この場合、貫通孔１４ｂにおける１段目の拡径部ＳＰ１は、後述するゲートカッターにおける円筒体が挿入可能な内径に形成されてランナーとして機能する。また、貫通孔１４ｂにおける２段目の拡径部（対向面１４ａに隣接する本発明における拡径部）ＳＰ２は、後述するゲートカッターにおける円筒体の外周面との間でキャビティＣＶの一部としての円筒状空隙ＯＰを構成する。スタンパー１５は、中心部に孔が形成された円板体に形成されている。このスタンパー１５は、孔を利用して円筒状の内周スタンパー押さえ１６の一端側に取り付けられ、この状態で内周スタンパー押さえ１６が孔１３ａの内周面とスプルーブッシュ１４の外周面との間によって形成されたリング状の隙間内に装着されることにより、固定側ミラー１３における可動側金型２１との対向面（キャビティＣＶ側の壁面）１３ｂに装着されている。
【００２９】
以上の構成を備えた固定側金型１１は、その固定側取付板１２が射出成形機ＭＭの図示しない固定側プラテンに取り付けられることによって射出成形機ＭＭに装着される。また、固定側金型１１におけるスプルーブッシュ１４の貫通孔１４ｂは射出成形機ＭＭの射出ノズルＮＺ１に連通される。
【００３０】
可動側金型２１は、可動側取付板２２、可動側ミラー２３、外周リング２４、突き出しスリーブ２５、ゲートカッター２６および突き出しピン２７を備えている。この場合、可動側取付板２２は、全体として円板状に形成され、その中央部には、断面円形の孔２２ａが表裏を貫通するようにして形成されている。可動側ミラー２３は、直径１２０ｍｍ程度の円板状に形成されて可動側取付板２２に装着されると共に、その中央部に孔２２ａと同径で断面円形の孔２３ａが表裏を貫通するようにして形成されている。外周リング２４は、円筒状に形成され、可動側ミラー２３の外周に嵌め込まれている。突き出しスリーブ２５は、全体として円筒状に形成され、孔２２ａ，２３ａ内に摺動自在に装着されている。ゲートカッター２６は、固定側金型１１に対向する対向面２６ａの中央部に円筒体２６ｂが突出して形成されると共に、突き出しスリーブ２５内に摺動自在に装着されている。この場合、円筒体２６ｂは、その外径が拡径部ＳＰ２の内径よりも小径に形成されている。また、ゲートカッター２６の中心部には、円柱状の突き出しピン２７が摺動自在に装着されている。さらに、ゲートカッター２６の対向面２６ａの直径は、光記録媒体１における装着用中心孔ＭＨと等しい径に設定されている。また、ゲートカッター２６の対向面２６ａには、成形された中間体ＭＥ１における円筒状リングＲＩの近傍を突き出して離反させるための突き出しピン（図示せず）が摺動自在に装着されている。なお、突き出しスリーブ２５における固定側金型１１との対向面２５ａまたは可動側ミラー２３の対向面２３ｂのいずれか一方には、リング状突起ＳＲ形成用のリング状凹部（図示せず）が形成されている。
【００３１】
以上の構成を備えた可動側金型２１は、その可動側取付板２２が射出成形機ＭＭの図示しない可動側プラテンに取り付けられることによって射出成形機ＭＭに装着される。この場合、可動側金型２１は、その中心軸線が固定側金型１１の中心軸線と一致し、ゲートカッター２６の円筒体２６ｂがスプルーブッシュ１４の拡径部ＳＰ１内に挿抜可能に射出成形機ＭＭに装着される。また、可動側金型２１と固定側金型１１とを型閉させた状態では、スタンパー１５における可動側金型２１との対向面１５ａ、スプルーブッシュ１４および内周スタンパー押さえ１６における可動側金型２１との各対向面１４ａ，１６ａ、可動側ミラー２３における固定側金型１１との対向面２３ｂ、外周リング２４の内周面２４ａ、突き出しスリーブ２５における固定側金型１１との対向面２５ａ、ゲートカッター２６における対向面２６ａおよび円筒体２６ｂの外周面、並びにスプルーブッシュ１４における拡径部ＳＰ２の内周面の間に円板状のキャビティＣＶが形成される。また、ゲートカッター２６における円筒体２６ｂの上面および突き出しピン２７における固定側金型１１側の端面と、スプルーブッシュ１４における拡径部ＳＰ１の内周面との間に円板状のランナーＲＵ（図３参照）が形成される。また、ランナーＲＵとキャビティＣＶとを連通させるゲートＧＡは、ゲートカッター２６における円筒体２６ｂの先端（図１中の上端部）がスプルーブッシュ１４における拡径部ＳＰ１内に挿抜されることによって開閉される。
【００３２】
一方、成形金型ＦＤが装着される射出成形機ＭＭには、可動側取付板２２（および可動側ミラー２３）、突き出しスリーブ２５、ゲートカッター２６および突き出しピン２７を駆動するための駆動手段（油圧シリンダー、エアシリンダまたは電動モータ等）が、可動側取付板２２、突き出しスリーブ２５、ゲートカッター２６および突き出しピン２７のそれぞれに対応して設けられている。なお、図２は、ゲートカッター２６用の駆動手段ＴＭを図示する。
【００３３】
次いで、光記録媒体１の製造方法について説明する。
【００３４】
まず、図１に示すように、グルーブ等の微細凹凸形成用のパターンが表面に形成されたスタンパー１５を固定側金型１１にセットし、その後、射出成形機ＭＭの駆動手段によって、可動側金型２１を固定側金型１１側に移動して型閉状態にする。なお、この型閉状態では、スプルーブッシュ１４の拡径部ＳＰ１とゲートカッター２６の円筒体２６ｂとが当接してないため、ゲートＧＡが開状態に維持されて貫通孔１４ｂとキャビティＣＶとが連通状態を維持する。また、スタンパー１５の対向面１５ａおよび可動側ミラー２３の対向面２３ｂ間の距離（キャビティＣＶの厚み）は中間体ＭＥ１と同じ厚みの約１．１ｍｍ程度に設定されている。次いで、射出成形機ＭＭの射出ノズルＮＺ１から溶融した樹脂ＲＥ（一例としてポリカーボネイト）を射出させる。この場合、樹脂ＲＥは、スプルーブッシュ１４の貫通孔１４ｂからランナーＲＵおよびゲートＧＡを経由してキャビティＣＶ内に流入して、キャビティＣＶ内に充填される（充填工程）。
【００３５】
この充填工程の後、キャビティＣＶ内の樹脂ＲＥが軟らかい状態において、射出成形機ＭＭにおけるゲートカッター２６用の駆動手段ＴＭが作動して、図３に示すように、ゲートカッター２６および突き出しピン２７をスプルーブッシュ１４側に移動させる。この際には、ゲートカッター２６の対向面２６ａがキャビティＣＶ内に突出する。つまり、ゲートカッター２６の対向面２６ａが可動側ミラー２３の対向面２３ｂおよび突き出しスリーブ２５の対向面２５ａよりも固定側金型１１側に突出する。同時に、拡径部ＳＰ２内に円筒体２６ｂが進入する。したがって、ゲートカッター２６の対向面２６ａとスプルーブッシュ１４の対向面１４ａとの距離が中間体ＭＥ１の厚みよりも短く維持される。このため、中間体ＭＥ１におけるゲートカッター２６の対向面２６ａに接する部位が薄肉に形成されて後述する円形凹部ＤＥが形成される。また、拡径部ＳＰ２の内周面と円筒体２６ｂの外周面との間でキャビティＣＶの一部としての円筒状空隙ＯＰが形成される。また、この状態では、ゲートカッター２６における円筒体２６ｂの先端がスプルーブッシュ１４の拡径部ＳＰ１内に進入して若干嵌合する。これにより、ランナーＲＵ内の樹脂ＲＥとキャビティＣＶ内の樹脂ＲＥとがゲートＧＡの部位で切断される（ゲートカット工程）。このようにして、光記録媒体１用の中間体ＭＥ１が成形される。
【００３６】
次いで、キャビティＣＶ内の樹脂ＲＥが十分に冷却して固化した後、射出成形機ＭＭの駆動手段を作動させることにより、可動側金型２１を固定側金型１１から離反させて、成形金型ＦＤを型開状態に移行させる。具体的には、可動側取付板２２、突き出しスリーブ２５、ゲートカッター２６、および突き出しピン２７をそれぞれ固定側金型１１から離反させ、その後、図４に示すように、突き出しピン２７を固定側金型１１側に移動させてその先端でランナーＲＵ内に残った樹脂ＲＥを押し出すと共に突き出しスリーブ２５を固定側金型１１側に移動させて、ゲートカッター２６における円筒体２６ｂの外周面、ゲートカッター２６における対向面２６ａ、突き出しスリーブ２５の対向面２５ａ、可動側ミラー２３の対向面２３ｂおよび外周リング２４の内周面２４ａの間で形成されたリング状凹部から樹脂成形した中間体ＭＥ１を押し出す。これにより、図５に示す中間体ＭＥ１が製造される。
【００３７】
この場合、中間体ＭＥ１は、厚み１．１ｍｍ程度、直径１２０ｍｍ程度の円板形状に形成される。また、中間体ＭＥ１は、他面（同図中における下面）における中心部に装着用中心孔ＭＨと等しい径の円形凹部ＤＥが形成されると共に、リング状突起ＳＲが形成される。円形凹部ＤＥの中心部には、円形凹部ＤＥよりも小径の仮中心孔ＴＨが形成される。この仮中心孔ＴＨは、中間体ＭＥ１を搬送する際に、図１０に示すように、機械式チャック装置４１の各チャック４３，４３，４３を挿入するために使用される。また、仮中心孔ＴＨは、図１１に示すように、中間体ＭＥ１をスタッカー５１にストックする際にスタックポール５１ａを挿入するためにも使用される。なお、スタックポール５１ａの直径は、仮中心孔ＴＨの孔径よりも若干小径に設定されている。この場合、チャック４３やスタックポール５１ａの強度を考慮すると、これらの小型化、小径化には限界がある。したがって、仮中心孔ＴＨの孔径は、直径２ｍｍ以上、好ましくは直径３ｍｍ以上に設定する。本実施の形態に係る中間体ＭＥ１では、一例として、仮中心孔ＴＨの孔径は直径５ｍｍに設定されている。
【００３８】
また、中間体ＭＥ１は、図５に示すように、その一面（同図中における上面）に、円筒状リングＲＩが形成されており、この円筒状リングＲＩの中心軸は、仮中心孔ＴＨの中心と一致（ほぼ一致の一例）するように（同心状に）規定されている。本実施の形態では、円筒状リングＲＩは、その内径が仮中心孔ＴＨの孔径と等しく（直径４ｍｍ）設定されて、仮中心孔ＴＨの口縁に突設されている。この円筒状リングＲＩは、中間体ＭＥ１の中心部をプレス加工によって打ち抜いて装着用中心孔ＭＨ（図９参照）を形成する際に、同時に打ち抜かれる。したがって、円筒状リングＲＩの外径は、最大でも装着用中心孔ＭＨの孔径以下（１５ｍｍ以下）に設定する必要がある。また、中間体ＭＥ１の一面にスピンコート法によって樹脂Ｒを塗布する場合、ノズルＮＺから円筒状リングＲＩの外面近傍に樹脂Ｒを滴下する必要がある。この際に、少なくとも記録エリアＲＡ内における樹脂Ｒの膜厚のバラツキを約５μｍ以内に抑えてほぼ均一に塗布するためには、中間体ＭＥ１の中心から直径約１０ｍｍ以内の範囲内に樹脂Ｒを滴下する必要があることが実験で判明している。さらに、記録エリアＲＡ内における樹脂Ｒの膜厚のバラツキを約３μｍ以内に抑えて、より均一に塗布するためには、中間体ＭＥ１の中心から直径約７ｍｍ以内の範囲内に樹脂Ｒを滴下する必要があることも実験で判明している。したがって、円筒状リングＲＩの外径は、直径約１０ｍｍ以下、好ましくは直径約７ｍｍ以下に設定する。本実施の形態に係る中間体ＭＥ１では、一例として、円筒状リングＲＩの外径は直径６ｍｍに設定されている。
【００３９】
また、円筒状リングＲＩの一面からの突出長は、必要量の樹脂Ｒを滴下でき、しかも滴下した樹脂Ｒの仮中心孔ＴＨ内への侵入を防止して記録エリアＲＡ内における樹脂Ｒの膜厚のバラツキを低減できるように、０．５ｍｍ以上に設定する必要があり、余裕を考慮した場合には、１ｍｍ以上に設定するのが好ましい。本実施の形態に係る中間体ＭＥ１では、一例として、円筒状リングＲＩの突出長は３ｍｍに設定されている。
【００４０】
また、中間体ＭＥ１では、プレス加工によって打ち抜かれる中心部以外の部位は、光記録媒体１における対応部位と同一に構成されている。したがって、中間体ＭＥ１の一面における記録エリアＲＡ内には、グルーブ等の微細凹凸が形成されている。また、中間体ＭＥ１の他面には、リング状突起ＳＲが形成されている。このようにして作製された中間体ＭＥ１は、図１１に示すように、スタッカー５１を利用して縦方向に積層した状態でストックされる。したがって、省スペース化を図りつつ安定した状態でストックすることができる。この場合、ストック状態では、円筒状リングＲＩおよびリング状突起ＳＲのうちの突出長の長い方が隣接する中間体ＭＥ１の表面に当接することにより、互いに隣接する中間体ＭＥ１，ＭＥ１の相互間に隙間が形成される。
【００４１】
次いで、図６に示すように、スパッタリング法またはスピンコート法によって、中間体ＭＥ１の一面上に複数の機能層からなる層ＦＬを形成する（機能層形成工程）。この場合、スパッタリング法によって形成される機能層（例えば、反射層や相変化材料で形成される記録層）は、内周マスクおよび外周マスクを使用して、記録エリアＲＡ内に形成される。なお、より小径の内周マスクを使用して、記録エリアＲＡよりも内周側に機能層をスパッタリング法によって形成することもできる。一方、スピンコート法によって形成される機能層（保護層など）は、図７に示すように、ノズルＮＺから樹脂Ｒを円筒状リングＲＩの外面近傍に直接滴下し、その後に、中間体ＭＥ１を回転させることによって樹脂Ｒを中間体ＭＥ１の外縁部まで引き伸ばして（延伸して）、硬化させることによって形成される。この場合、円筒状リングＲＩの外径が直径約１０ｍｍ以下に設定されているため、円盤状部材ＤＩを使用することなく中間体ＭＥ１の中心に近い位置に樹脂Ｒを滴下することができる。しかも、円筒状リングＲＩによって、滴下した樹脂Ｒの仮中心孔ＴＨ内への漏れ出しが阻止されつつ必要量の樹脂Ｒを滴下することができる。このように、必要量の樹脂Ｒを中心に近い位置に滴下することにより、機能層は、樹脂Ｒによる塗膜の膜厚分布がスピンコート法によってほぼ均一に形成される。また、樹脂Ｒが塗布された中間体ＭＥ１を次の工程（硬化処理）の実施場所まで搬送する際には、図１０に示す機械式チャック装置４１を使用して中間体ＭＥ１を保持して搬送する。
【００４２】
この場合、機械式チャック装置４１は、一例として、図１０に示すように、アクチュエータ４２と、アクチュエータ４２の下面から下方に延出する３本のチャック４３，４３，４３とを備えている。各チャック４３，４３，４３は、同一円周上に等間隔で配置されると共に、径方向に沿って回動可能に各上端側がアクチュエータ４２にそれぞれ取り付けられている。アクチュエータ４２は、その上端を支点として各チャック４３，４３，４３を回動させることにより、各チャック４３，４３，４３を閉じたり、拡げたりする機能を備えている。このアクチュエータ４２は、閉じた状態で仮中心孔ＴＨ内に入れられた各チャック４３，４３，４３を拡げることにより、仮中心孔ＴＨを構成する中間体ＭＥ１の内周面に各チャック４３，４３，４３を当接させて中間体ＭＥ１を保持する。また、アクチュエータ４２は、この状態から各チャック４３，４３，４３を閉じることにより、中間体ＭＥ１の保持を解除する。
【００４３】
次いで、図８に示すように、打ち抜き刃（打ち抜き具）ＰＤを使用して、中間体ＭＥ１およびその一面上に形成された層ＦＬにおける中心部（中間体ＭＥ１の中心軸を中心とした直径約１５ｍｍの範囲）を、例えば層ＦＬ側から打ち抜く（中心孔形成工程）。この場合、打ち抜き刃ＰＤの外径が、中間体ＭＥ１の円形凹部ＤＥの外径と等しい径か、またはほぼ等しい径（実際には僅かに小径）に規定されている。これにより、図９に示すように、円筒状リングＲＩおよび仮中心孔ＴＨが除去される。同時に、円形凹部ＤＥに代えて装着用中心孔ＭＨが形成される。この場合、打ち抜き刃ＰＤの外径が中間体ＭＥ１の円形凹部ＤＥの外径と等しいときには、装着用中心孔ＭＨは、実質的には、円形凹部ＤＥの底壁（内壁面）を取り去って円形凹部ＤＥと等しい径で形成される。一方、打ち抜き刃ＰＤの外径が中間体ＭＥ１の円形凹部ＤＥの外径よりも僅かに小径のときには、装着用中心孔ＭＨは、円形凹部ＤＥと、円形凹部ＤＥの底壁に打ち抜き刃ＰＤによって形成された打ち抜き孔とが連通して形成される。この場合、中間体ＭＥ１に円形凹部ＤＥが予め形成されているため、円形凹部ＤＥが形成されていない中間体と比較して、打ち抜き刃ＰＤによる打ち抜きの際に、装着用中心孔ＭＨを構成する中間体ＭＥ１および層ＦＬの内周面におけるバリの発生を防止することができる。以上により、ディスク状基板ＤＰの一面に層ＦＬが形成された光記録媒体１が製造される。
【００４４】
このように、このディスク状基板ＤＰの中間体ＭＥ１によれば、装着用中心孔ＭＨよりも小径の仮中心孔ＴＨを中心部に形成したことにより、円盤状部材ＤＩを使用することなく中間体ＭＥ１の中心に近い位置に樹脂Ｒを滴下することができる結果、樹脂Ｒによる塗膜をスピンコート法によってほぼ均一な膜厚に形成することができる。また、この仮中心孔ＴＨを利用して、従来、一般的に使用されている機械式チャック装置４１によって中間体ＭＥ１を確実に保持することができる。また、その外径が装着用中心孔ＭＨよりも小径であって、その内径が仮中心孔ＴＨの孔径以上でかつその中心軸が仮中心孔ＴＨの中心と一致する円筒状リングＲＩを中間体ＭＥ１の一面に突設したことにより、円筒状リングＲＩの外面に沿って樹脂Ｒを滴下することで、装着用中心孔ＭＨの孔径よりも中間体ＭＥ１の中心に近い位置において、仮中心孔ＴＨ内に漏れ出させることなく必要量の樹脂Ｒを滴下することができる。したがって、スピンコート法によって形成された樹脂Ｒの塗膜の膜厚分布をより均一化することができる。
【００４５】
さらに、円筒状リングＲＩの内径を仮中心孔ＴＨの孔径と等しく（ほぼ等しく）設定したことにより、仮中心孔ＴＨの内面のみならず、円筒状リングＲＩの内面にも各チャック４３，４３，４３を接触させることができる。したがって、各チャック４３，４３，４３の表面と中間体ＭＥ１との間に生じる摩擦力を大きくすることができる結果、振動等に起因する一層大きな外力が機械式チャック装置４１や中間体ＭＥ１に加わった場合であっても、機械式チャック装置４１による中間体ＭＥ１の保持を安定して維持し続けることができる。また、円形凹部ＤＥを形成したことにより、打ち抜き具による打ち抜きの際に、装着用中心孔ＭＨを構成する中間体ＭＥおよび層ＦＬの内周面にバリが生じるのを確実に防止することができる。したがって、光記録媒体１を偏心しない状態でドライブ装置に装着することができる結果、回転時の振動やブレが低減されて情報の正確な記録や再生を行うことができる。
【００４６】
なお、本発明は、上記した発明の実施の形態に限らず、適宜変更が可能である。例えば、本発明の実施の形態では、ゲートカッター２６の対向面２６ａ全体を平面（フラットな状態）に形成した例を挙げて説明したが、図１２に示すように、対向面２６ａの外周縁部に凹溝形成用の突起２６ｃを形成することもできる。一例として、突起２６ｃは、その断面形状がＶ字状に形成されている。この構成によれば、中間体ＭＥ１を成形した際に、同図に示すように、中間体ＭＥ１の内底面における円形凹部ＤＥを構成する内周面近傍に、この内周面に沿って凹溝ＤＲが形成される。つまり、円形凹部ＤＥの外周縁部分の厚みが、他の部位の厚みよりも肉薄に形成される。したがって、円形凹部ＤＥにおける打ち抜き刃ＰＤによって実際に切断される部位の厚みをさらに薄くできるため、打ち抜きをさらに容易に行うことができると共に、装着用中心孔ＭＨを構成する中間体ＭＥ１および層ＦＬの内周面にバリが発生するのを一層確実に防止することができる。なお、突起２６ｃの断面形状はＶ字状以外に、Ｕ字状に構成することもできる。この場合、突起２６ｃを高背に形成するほど（凹溝ＤＲを深くするほど）、打ち抜き刃ＰＤによる打ち抜きが容易となる。しかしながら、中間体ＭＥ１の搬送時等における意図しない裂断を回避するためには、中間体ＭＥ１における凹溝ＤＲの形成部位に、ある程度の厚みを確保する必要がある。したがって、意図しない裂断を回避しつつ、打ち抜きを容易にするためには、中間体ＭＥ１における凹溝ＤＲの形成部位の厚みが０．０１ｍｍ以上０．３ｍｍ以下の範囲となるように突起２６ｃの高さを規定するのが好ましい。また、凹溝ＤＲを形成したことにより、中間体ＭＥ１における円形凹部ＤＥの形成部位を肉厚に形成することができるため、その形成部位の厚みについては、０．３ｍｍ以上０．７ｍｍ以下の範囲とするのが好ましい。その結果、成形時における樹脂ＲＥの円滑な流動を確保しつつ成形後における強度を確保することができる。
【００４７】
また、例えば、本発明の実施の形態では、対向面２６ａに円筒体２６ｂを一体的に形成したゲートカッター２６を備えた可動側金型２１を有する成形金型ＦＤを例に挙げて説明したが、図１３，１４に示すように、このゲートカッター２６に代えて、成形スリーブ（圧縮スリーブ）３１およびゲートカッター３２を備えた可動側金型２１Ａを有する成形金型ＦＤ１を用いて中間体ＭＥ１を成形することもできる。この場合、成形スリーブ３１は、その外径がゲートカッター２６の外径と等しい円筒体に形成されて、突き出しスリーブ２５内に摺動自在に装着されている。ゲートカッター３２は、円筒状に形成されると共に、その外径がゲートカッター２６の円筒体２６ｂの外径と等しく設定されている。また、ゲートカッター３２の中心には、円柱状の突き出しピン２７が摺動自在に装着されている。また、成形金型ＦＤ１と、成形金型ＦＤ１が装着される射出成形機ＭＭとで成形スリーブ３１およびゲートカッター３２を独立して駆動可能に構成されている。
【００４８】
この成形金型ＦＤ１を用いて中間体ＭＥ１を成形する場合、基本的には、成形金型ＦＤにおけるゲートカッター２６と同様にして成形スリーブ３１およびゲートカッター３２を駆動する。次いで、充填工程の後、キャビティＣＶ内の樹脂ＲＥが軟らかい状態において、図１４に示すように、まず、成形スリーブ３１をスプルーブッシュ１４側に移動させ、その後にゲートカッター３２および突き出しピン２７をスプルーブッシュ１４側に移動させてゲートカッター３２の先端をスプルーブッシュ１４における拡径部ＳＰ１内に挿入させる。この成形金型ＦＤ１によれば、成形金型ＦＤの場合と同一形状のキャビティＣＶを形成することができ、その際に、円形凹部ＤＥの形成、およびゲートカット工程を一層確実に行うことができる。
【００４９】
また、例えば、本発明の実施の形態では、ゲートカッター２６や、成形スリーブ３１およびゲートカッター３２用の駆動手段を射出成形機ＭＭ側に設けた例を挙げて説明したが、ゲートカッター２６を備えた成形金型ＦＤでは、図２に示すように、駆動手段ＴＭに代えて、ばね等で構成した付勢手段ＴＭを射出成形機ＭＭ（または成形金型ＦＤ）に設けてゲートカッター２６を作動させる構成を採用することもできる。この場合、付勢手段ＴＭは、ゲートカッター２６をスプルーブッシュ１４方向に常時付勢し、その付勢力は樹脂ＲＥのキャビティＣＶ内への射出開始後における樹脂圧が高い期間におけるこの樹脂圧未満になるように設定されている。
【００５０】
この構成では、図１５に示すように、型閉状態でかつ樹脂ＲＥが注入されていない状態では、ゲートカッター２６は、付勢手段ＴＭによってスプルーブッシュ１４に向けて移動させられて、円筒体２６ｂの先端がスプルーブッシュ１４の拡径部ＳＰ１に当接した状態を維持する。一方、射出成形機ＭＭの射出ノズルＮＺ１から溶融した樹脂ＲＥが射出された際には、樹脂圧を受けたゲートカッター２６がスプルーブッシュ１４から離反する方向に移動する。このため、ゲートＧＡが開いて、図１６に示すように、樹脂ＲＥがキャビティＣＶ内に注入される。このゲートＧＡの開状態は、射出開始後から樹脂ＲＥの充填完了までの樹脂圧が高い期間において維持される。次いで、樹脂ＲＥのキャビティＣＶ内への充填が完了した際には、樹脂圧が低下する。このため、ゲートカッター２６が付勢手段ＴＭによってスプルーブッシュ１４に向けて移動させられて、図１７に示すように、円筒体２６ｂの先端がスプルーブッシュ１４の拡径部ＳＰ１を形成する内周面に当接する。これにより、ランナーＲＵ内の樹脂ＲＥとキャビティＣＶ内の樹脂ＲＥとがゲートＧＡの部位で切断される。このように、この構成によれば、付勢手段ＴＭを用いてゲートカッター２６を移動させる構成を採用したことにより、油圧シリンダーや電動モータ等の駆動手段を不要にすることができるため、金型構造を簡略化することができる結果、射出成形機ＭＭ側の構成を簡略化することができる。
【００５１】
また、例えば、本発明の実施の形態では、スプルーブッシュ１４として、その貫通孔１４ｂが対向面１４ａ近傍において２段に拡径した状態で開口する例について説明したが、少なくとも１段拡径する構成であればよい。例えば、１段に拡径する構成では、拡径部を構成するスプルーブッシュ１４の内周面と円筒体２６ｂの外周面との間で形成される円筒状空隙ＯＰがキャビティＣＶの一部を構成し、非拡径部と拡径部との境界部における円筒体２６ｂとの当接部位がゲートＧＡとして機能する。
【００５２】
また、上述した付勢手段ＴＭを用いる構成については、成形金型ＦＤ１に対しても適用することができる。この構成では、成形スリーブ３１用の付勢手段とゲートカッター３２用の付勢手段とを射出成形機ＭＭに個別に設け、ゲートカッター３２用の付勢手段の付勢力に対して成形スリーブ３１用の付勢手段の付勢力を高めに設定する。この構成により、射出開始後から樹脂ＲＥの充填完了までの樹脂圧が高い期間であっても、樹脂圧が若干低下するこの期間の後半において、成形スリーブ３１が樹脂圧に抗して所定位置までスプルーブッシュ１４に向けて移動し、樹脂のキャビティＣＶ内への充填が完了して樹脂圧が低下した際に、ゲートカッター３２がスプルーブッシュ１４に向けて移動してスプルーブッシュ１４の拡径部ＳＰ１に当接して、ランナーＲＵ内の樹脂とキャビティＣＶ内の樹脂とがゲートＧＡの部位で切断される。
【００５３】
さらに、仮中心孔の孔径は円筒状リングの内径よりも小径であってもよい。具体的には、図１８に示す中間体ＭＥ２では、円形凹部ＤＥの底壁（内壁面）に形成した仮中心孔ＴＨの外径を円筒状リングＲＩの内径よりも小径に形成している。この構成であっても、中間体ＭＥ１と同じ作用効果を奏することができる。また、図１９に示す中間体ＭＥ３のように、円筒状リングＲＩの内径よりも小径の仮中心孔ＴＨを円筒状リングＲＩの上面に形成することもできる。この構成であっても、中間体ＭＥ１，ＭＥ２と同じ作用効果を奏することができる。
【００５４】
【発明の効果】
以上のように、本発明に係る光記録媒体用中間体および光記録媒体の製造方法によれば、装着用中心孔と等しい径に形成された円形凹部を他面の中心部に形成すると共に円形凹部よりも小径の仮中心孔を円形凹部の中心部に形成し、その外径が装着用中心孔よりも小径であってその内径が仮中心孔の孔径以上でかつその中心軸が仮中心孔の中心とほぼ一致する円筒状リングを一面に突設したことにより、スピンコート法を行う際に、円盤状部材などの樹脂塗布用補助部材を使用することなく光記録媒体用中間体の中心に近い位置に樹脂を滴下することができる結果、樹脂による塗膜の膜厚をほぼ均一化することができる。したがって、樹脂塗布用補助部材を不要にできるため、樹脂塗布用補助部材についてのクリーニング等の管理を不要にできる結果、樹脂塗布用補助部材の製造費および管理費を削減することができる。また、この仮中心孔を利用して、省スペース化を図りつつ安定した状態でストックできる。また、仮中心孔を利用して、塗布した樹脂が未硬化の状態であったとしても従来から一般的に使用されている既存の機械式チャック装置（搬送機構）で光記録媒体用中間体を保持および搬送することができる。このため、光記録媒体用中間体を搬送するための新たな装置の導入を回避することができる結果、設備投資用コストを削減することができる。さらに、打ち抜き具によって打ち抜いて装着用中心孔を形成する中心部が肉薄のため、打ち抜きを容易に行うことができ、しかも装着用中心孔を構成する光記録媒体用中間体および機能層の内周面におけるバリの発生を確実に防止することができる。したがって、この記録媒体用中間体を用いて構成した光記録媒体を偏心しない状態でドライブ装置に装着することができる結果、回転時の振動やブレが低減されて情報の正確な記録や再生を行うことができる。
【００５５】
この場合、円形凹部を構成する内底面における円形凹部を構成する内周面近傍にその内周面に沿って凹溝を形成したことにより、打ち抜き具によって実際に打ち抜かれる円形凹部の底壁の厚みをさらに薄くできるため、さらに容易に打ち抜くことができると共に、装着用中心孔を構成する光記録媒体用中間体および機能層の各内周面におけるバリの発生を一層確実に防止することができる。
【００５６】
この場合、仮中心孔の内径を直径２ｍｍ以上に設定したことにより、光記録媒体用中間体の搬送に使用する機械式チャック装置におけるチャックの板厚や、光記録媒体用中間体のストックに使用されるスタッカーにおけるスタックポールの直径を、光記録媒体用中間体を保持するのに必要とされる最低限の強度を確保できる寸法に設定することができる。
【００５７】
また、円筒状リングの外径を直径１０ｍｍ以下に設定したことにより、スピンコート法によって樹脂を塗布する際に、例えば、光記録媒体用中間体における記録エリア内の樹脂の膜厚のバラツキを約５μｍ以内に抑えて樹脂をほぼ均一に塗布することができる。さらに、直径７ｍｍ以下に設定することにより、例えば、樹脂の膜厚のバラツキを約３μｍ以内に抑えて樹脂をより均一に塗布することができる。
【００５８】
また、円筒状リングの一面からの突出長を０．５ｍｍ以上に設定したことにより、スピンコート法を実施する際に、必要量の樹脂を滴下でき、しかも滴下した樹脂の仮中心孔内への侵入を防止することができる結果、樹脂の膜厚のバラツキをより低減して均一に塗布することができる。
【００５９】
さらに、円筒状リングの内径を仮中心孔の孔径と等しく設定したことにより、仮中心孔の内面のみならず、円筒状リングの内面にも機械式チャック装置のチャックを接触させることができる。したがって、チャックの表面と光記録媒体用中間体との間に生じる摩擦力を大きくすることができる結果、機械式チャック装置による光記録媒体用中間体の保持を安定させることができる。
【００６０】
また、本発明に係る成形金型によれば、スプルーブッシュの貫通孔を第２の金型に対向する対向面に少なくとも１段拡径した状態で開口させ、その対向面の中央部に貫通孔における拡径部の内径よりも外径が小径に形成された円筒体を突出してゲートカッターを形成し、型閉された状態でゲートカッターをスプルーブッシュ側に移動したときに、ゲートカッターの対向面がキャビティ内に突出すると共に拡径部内に円筒体が進入して、ゲートカッターの対向面とスプルーブッシュの対向面との距離を光記録媒体用中間体の厚みよりも短く維持しつつ、拡径部の内周面と円筒体の外周面との間でキャビティの一部としての円筒状空隙を形成可能に構成したことにより、装着用中心孔と等しい径に形成された円形凹部が他面の中心部に形成されると共に円形凹部よりも小径の仮中心孔が円形凹部の中心部に形成され、かつ円筒状リングが一面に突設された光記録媒体用中間体を正確かつ確実に製造することができる。
【００６１】
また、本発明に係る成形金型によれば、スプルーブッシュの貫通孔を第２の金型に対向する対向面に少なくとも１段拡径した状態で開口させ、第２の金型が円筒状の成形スリーブおよび成形スリーブ内にスライド自在に装着された円筒状のゲートカッターを備え、型閉された状態で成形スリーブおよびゲートカッターをスプルーブッシュ側に移動したときに、成形スリーブの対向面がキャビティ内に突出すると共に拡径部内にゲートカッターが進入して、成形スリーブの対向面とスプルーブッシュの対向面との距離を光記録媒体用中間体の厚みよりも短く維持しつつ、拡径部の内周面とゲートカッターの外周面との間でキャビティの一部としての円筒状空隙を形成可能に構成したことにより、装着用中心孔と等しい径に形成された円形凹部が他面の中心部に形成されると共に円形凹部よりも小径の仮中心孔が円形凹部の中心部に形成され、かつ円筒状リングが一面に突設された光記録媒体用中間体を正確かつ確実に製造することができる。
【００６２】
この場合、ゲートカッターまたは成形スリーブにおける対向面の外周縁部に凹溝形成用の突起を形成したことにより、円形凹部を構成する内底面における円形凹部を構成する内周面近傍にその内周面に沿って凹溝が形成された光記録媒体用中間体を正確かつ確実に製造することができる。
【００６３】
また、本発明に係る成形機によれば、ゲートカッターが、樹脂圧の高いときにはその樹脂圧によって付勢手段の付勢力に抗して第２の金型側に移動してキャビティへの樹脂の充填を許容し、樹脂圧の低下時には付勢手段の付勢力によってスプルーブッシュに向けて移動する構成を採用したことにより、油圧シリンダーや電動モータ等の駆動手段を不要にすることができるため、金型構造を簡略化することができる結果、射出成形機側の構成を簡略化することができる。
【図面の簡単な説明】
【図１】
本発明の実施の形態に係る成形金型ＦＤの型閉状態における構成を示す断面図である。
【図２】
射出成形機ＭＭの一部の構成を示す構成図である。
【図３】
成形金型ＦＤのゲートカット状態を示す断面図である。
【図４】
成形金型ＦＤから中間体ＭＥ１を取り出すときの成形金型ＦＤの断面図である。
【図５】
本発明の実施の形態に係る中間体ＭＥ１の構成を示す断面図である。
【図６】
図５に示す中間体ＭＥ１上に層ＦＬを形成した状態の中間体ＭＥ１の断面図である。
【図７】
図５に示す中間体ＭＥ１上に樹脂Ｒを滴下した状態の断面図である。
【図８】
図６に示す中間体ＭＥ１における中央部（円形凹部ＤＥが形成された部位）の打ち抜き加工を説明するための断面図である。
【図９】
本発明の実施の形態に係る光記録媒体の製造方法によって製造された光記録媒体１の構成を示す断面図である。
【図１０】
機械式チャック装置４１を使用した中間体ＭＥ１の搬送を説明するための斜視図である。
【図１１】
スタッカー５１を使用した中間体ＭＥ１のストック方法を説明するための斜視図である。
【図１２】
ゲートカッター２６における凹溝形成用の突起２６ｃが形成された対向面２６ａの外周縁部、および中間体ＭＥ１における凹溝ＤＲが形成された円形凹部ＤＥの内周面近傍を拡大した断面図である。
【図１３】
本発明の実施の形態に係る他の成形金型ＦＤ１の型閉状態における構成を示す断面図である。
【図１４】
成形金型ＦＤ１のゲートカット状態を示す断面図である。
【図１５】
成形金型ＦＤを用いた他の構成の射出成形機ＭＭによる成形処理を説明する断面図である。
【図１６】
図１５に示す状態において樹脂ＲＥがキャビティＣＶ内に充填された状態を示す断面図である。
【図１７】
図１６に示す状態から付勢力によってゲートカッター２６を移動させたゲートカット状態を示す断面図である。
【図１８】
他の中間体ＭＥ２の断面図である。
【図１９】
さらに他の中間体ＭＥ３の断面図である。
【図２０】
載置した円盤状部材ＤＩ上に樹脂Ｒを滴下したディスク状基板ＤＰの断面図である。
【図２１】
図２０に示すディスク状基板ＤＰ上に樹脂Ｒの塗膜をスピンコート法によって形成した状態のディスク状基板ＤＰの断面図である。
【図２２】
ディスク状基板ＤＰをスタッカー５１にストックした状態の断面図である。
【図２３】
本発明者が開発した他の中間体ＭＥを使用して光記録媒体１を製造する方法を説明するための説明図であって、中央部に樹脂Ｒを塗布した状態の中間体ＭＥの断面図である。
【図２４】
図２３に示す中間体ＭＥ上にスピンコート法によって樹脂Ｒを塗布した状態の中間体ＭＥの断面図である。
【図２５】
中間体ＭＥをスタッカー６１にストックした状態の斜視図である。
【図２６】
スタッカー６１に積層された中間体ＭＥが振動等によって崩れた状態を示す断面図である。
【符号の説明】
１  光記録媒体
１１  固定側金型
１４  スプルーブッシュ
１４ａ，２６ａ  対向面
１４ｂ  貫通孔
２１  可動側金型
２６  ゲートカッター
２６ｂ  円筒体
２６ｃ  突起
２７  突き出しピン
ＣＶ  キャビティ
ＤＥ  円形凹部
ＤＲ  凹溝
ＦＬ  層
ＭＥ１，ＭＥ２，ＭＥ３  中間体
ＭＨ  装着用中心孔
ＭＭ  射出成形機
ＯＰ  円筒状空隙
ＰＤ  打ち抜き刃
ＲＩ  円筒状リング
ＳＰ２  拡径部
ＴＨ  仮中心孔
ＴＭ  付勢手段